【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
電気的および機械的エネルギーの間で変換する電気活性ポリマートランスデューサであって、
少なくとも２つの電極、および
予歪みされた部分を含み、前記予歪みされた部分における予歪みを維持するよう構成される剛性化された部分を含む前記少なくとも２つの電極と電気的連通にある電気活性ポリマー
を備えるトランスデューサ。
【請求項２】
請求項１に記載のトランスデューサであって、前記電気活性ポリマーは、コンプライアンスを有する電気活性ポリマーフィルム、および前記コンプライアンスを有する電気活性ポリマーフィルム内またはその上に形成され前記剛性化されたポリマー部分を定義する支持ポリマーを備えるトランスデューサ。
【請求項３】
請求項１に記載のトランスデューサであって、前記剛性化された部分は、前記予歪みを少なくとも部分的に維持するために前記電気活性ポリマーが予歪みされているあいだに硬化されたポリマー要素を備えるトランスデューサ。
【請求項４】
請求項１に記載のトランスデューサであって、前記剛性化された部分は、前記予歪みされた部分を伸長することから生じる前記予歪みされた部分における弾性圧縮力に反対する力を提供するよう構成されるトランスデューサ。
【請求項５】
請求項１に記載のトランスデューサであって、前記剛性化された部分は前記予歪みされた部分と周辺で境界をなすトランスデューサ。
【請求項６】
請求項１に記載のトランスデューサであって、前記電気活性ポリマーは、約４０ＭＰａ未満の弾性係数を備えるトランスデューサ。
【請求項７】
請求項６に記載のトランスデューサであって、前記電気活性ポリマーは、約１０ＭＰａ未満の弾性係数を備えるトランスデューサ。
【請求項８】
請求項１に記載のトランスデューサであって、前記剛性化されたポリマー部分は、約１０ＭＰａ未満の弾性係数を備えるトランスデューサ。
【請求項９】
請求項８に記載のトランスデューサであって、前記剛性化されたポリマー部分は、約５０ＭＰａより大きい弾性係数を備えるトランスデューサ。
【請求項１０】
請求項１に記載のトランスデューサであって、前記予歪みされた部分は非等方性予歪みを含むトランスデューサ。
【請求項１１】
請求項１に記載のトランスデューサであって、前記予歪みされた部分は弾性的に予歪みされているトランスデューサ。
【請求項１２】
請求項１に記載のトランスデューサであって、前記電気活性ポリマートランスデューサは、前記予歪みされた部分において予歪みを維持するよう構成される外部フレームまたは外部メカニズムを含まないトランスデューサ。
【請求項１３】
請求項１に記載のトランスデューサであって、予歪みされた部分は、実質的に電気活性ポリマーの全体を含むトランスデューサ。
【請求項１４】
請求項１に記載のトランスデューサであって、前記剛性化された部分は、主方向によって特徴付けられる直線セグメントを備え、前記直線セグメントは、前記主方向において前記予歪みされた部分の撓みを低減するトランスデューサ。
【請求項１５】
電気的および機械的エネルギーの間で変換する電気活性ポリマートランスデューサであって、
少なくとも２つの電極、および
前記少なくとも２つの電極と電気的連通にあり、予歪みされた部分を含む電気活性ポリマー、および
前記電気活性ポリマーの表面部分に結合され、前記予歪みされた部分において予歪みを維持するよう構成される支持レイヤ
を備えるトランスデューサ。
【請求項１６】
請求項１５に記載のトランスデューサであって、前記支持レイヤは前記予歪みされた部分に重なるトランスデューサ。
【請求項１７】
請求項１６に記載のトランスデューサであって、前記支持レイヤは、前記少なくとも２つの電極のうちの１つの上に配置されるトランスデューサ。
【請求項１８】
請求項１５に記載のトランスデューサであって、前記支持レイヤは前記表面部分に積層化されているトランスデューサ。
【請求項１９】
請求項１５に記載のトランスデューサであって、前記支持レイヤは、前記電気活性ポリマーよりも大きい剛性を備えるトランスデューサ。
【請求項２０】
請求項１５に記載のトランスデューサであって、前記支持レイヤは前記電気活性ポリマーと同じ材料を備えるトランスデューサ。
【請求項２１】
請求項１５に記載のトランスデューサであって、前記支持レイヤは前記電気活性ポリマーの撓みで撓むように構成されるトランスデューサ。
【請求項２２】
請求項２１に記載のトランスデューサであって、前記表面部分は幾何学的形状に似るトランスデューサ。
【請求項２３】
請求項１５に記載のトランスデューサであって、前記電気活性ポリマーは、約４０ＭＰａ未満の弾性係数を備えるトランスデューサ。
【請求項２４】
請求項２３に記載のトランスデューサであって、前記電気活性ポリマーは、約１０ＭＰａ未満の弾性係数を備えるトランスデューサ。
【請求項２５】
請求項１５に記載のトランスデューサであって、前記支持レイヤは、約５０ＭＰａより大きい弾性係数を備えるトランスデューサ。
【請求項２６】
請求項２５に記載のトランスデューサであって、前記支持レイヤは、約１０ＭＰａ未満の弾性係数を備えるトランスデューサ。
【請求項２７】
請求項１５に記載のトランスデューサであって、前記電気活性ポリマートランスデューサは、前記予歪みされた部分において予歪みを維持するよう構成される外部フレームまたは外部メカニズムを含まないトランスデューサ。
【請求項２８】
請求項１５に記載のトランスデューサであって、前記支持レイヤは、前記電気活性ポリマーのそれより小さい電気抵抗を備えるトランスデューサ。
【請求項２９】
請求項２８に記載のトランスデューサであって、前記支持レイヤは、前記トランスデューサの電極として構成されるトランスデューサ。
【請求項３０】
請求項１５に記載のトランスデューサであって、前記予歪みされた部分は非等方性予歪みを含むトランスデューサ。
【請求項３１】
請求項１５に記載のトランスデューサであって、前記予歪みされた部分は弾性的に予歪みされるトランスデューサ。
【請求項３２】
電気的および機械的エネルギーの間で変換する電気活性ポリマートランスデューサであって、
少なくとも２つの電極、および
前記少なくとも２つの電極と電気的連通にあり、予歪みされた第１部分および予歪みされた第２部分を含む電気活性ポリマー
を備え、
前記予歪みされた第１部分は、前記予歪みされた第２部分よりも大きい予歪みを備えるトランスデューサ。
【請求項３３】
請求項３２に記載のトランスデューサであって、前記予歪みされた第１部分は、非等方性予歪みを含むトランスデューサ。
【請求項３４】
請求項３２に記載のトランスデューサであって、前記予歪みされた第１部分は、直線方向において前記予歪みされた第２部分よりも大きい予歪みを備えるトランスデューサ。
【請求項３５】
請求項３２に記載のトランスデューサであって、前記予歪みされた第１部分および前記予歪みされた第２部分は、それぞれの部分を剛性化するために少なくとも部分的に硬化されたポリマー要素をそれぞれ備えるトランスデューサ。
【請求項３６】
請求項３２に記載のトランスデューサであって、前記電気活性ポリマーは、コンプライアンスを有する電気活性ポリマーフィルムおよび前記コンプライアンスを有する電気活性ポリマーフィルム内またはそれの上に形成された支持ポリマーを備えるトランスデューサ。
【請求項３７】
請求項３６に記載のトランスデューサであって、前記支持ポリマーの硬化は、前記予歪みされた第１部分および前記予歪みされた第２部分を定義するトランスデューサ。
【請求項３８】
請求項３６に記載のトランスデューサであって、前記予歪みされた第１部分は、前記予歪みされた第２部分より大きい前記支持ポリマーの濃度を備えるトランスデューサ。
【請求項３９】
請求項３２に記載のトランスデューサであって、前記電気活性ポリマーは、約４０ＭＰａ未満の弾性係数を備えるトランスデューサ。
【請求項４０】
請求項３９に記載のトランスデューサであって、前記電気活性ポリマーは、約１０ＭＰａ未満の弾性係数を備えるトランスデューサ。
【請求項４１】
請求項３２に記載のトランスデューサであって、前記予歪みされた第１部分および前記予歪みされた第２部分は弾性的に予歪みされているトランスデューサ。
【請求項４２】
請求項３２に記載のトランスデューサであって、前記電気活性ポリマートランスデューサは、前記予歪みされた第１部分および前記予歪みされた第２部分において予歪みを維持するよう構成される外部フレームまたは外部メカニズムを含まないトランスデューサ。
【請求項４３】
電気活性ポリマーを形成する方法であって、
部分的に硬化された電気活性ポリマーを形成するための電気活性ポリマーのための前駆体を部分的に硬化させること、
前記電気活性ポリマーについての予歪みを実現するために前記部分的に硬化された電気活性ポリマーを伸長すること、および
前記部分を剛性化するために前記電気活性ポリマーの一部をさらに硬化させること
を含む方法。
【請求項４４】
請求項４３に記載の方法であって、前記部分的に硬化させること、または前記さらに硬化させることは、熱的硬化を採用する方法。
【請求項４５】
請求項４３に記載の方法であって、前記剛性化された部分は、前記電気活性ポリマーの予歪みされた第２部分と境界をなし、前記剛性化された部分は前記予歪みされた第２部分についての予歪みを維持するよう構成される方法。
【請求項４６】
請求項４５に記載の方法であって、前記剛性化された部分は、前記予歪みされた部分における弾性圧縮力に反対する力を提供するよう構成されるトランスデューサ。
【請求項４７】
請求項４３に記載の方法であって、前記剛性化された部分は、約１０ＭＰａより大きい弾性係数を備えるようにさらに硬化される方法。
【請求項４８】
請求項４３に記載の方法であって、前記電気活性ポリマーをさらに硬化させることは、前記電気活性ポリマーを照射に曝露することを含む方法。
【請求項４９】
請求項４８に記載の方法であって、前記部分の形状およびサイズを定義する前記ポリマーの表面にマスクを適用することをさらに含む方法。
【請求項５０】
請求項４９に記載の方法であって、前記マスクは、前記部分および前記電気活性ポリマーの第２部分に差分照射曝露を行う方法。
【請求項５１】
請求項５０に記載の方法であって、前記マスクは、前記電気活性ポリマーのエッジ部分への照射曝露の量を減らす方法。
【請求項５２】
請求項４３に記載の方法であって、前記部分は、硬化されるときに少なくとも部分的に電気活性ポリマーを剛性化するポリマー前駆体を備える方法。
【請求項５３】
請求項４３に記載の方法であって、前記電気活性ポリマーは、コンプライアンスを有する電気活性ポリマーフィルム、および前記コンプライアンスを有する電気活性ポリマーフィルム内またはその上に形成された支持ポリマーを備える方法。
【請求項５４】
請求項５３に記載の方法であって、前記支持ポリマーの硬化は前記部分を剛性化する方法。
【請求項５５】
請求項４３に記載の方法であって、前記部分的に硬化された電気活性ポリマーは、前記部分的に硬化された電気活性ポリマーを弾性的に伸長するのに適する機械的完全性を備える方法。
【請求項５６】
請求項４３に記載の方法であって、電気活性ポリマーは第２方向より第１方向において大きく伸長される方法。
【請求項５７】
請求項４３に記載の方法であって、前記電気活性ポリマーは、弾性予歪みを達成するために伸長される方法。
【請求項５８】
請求項４３に記載の方法であって、電極を前記電気活性ポリマーの表面に堆積することをさらに含む方法。
【請求項５９】
請求項５８に記載の方法であって、前記電極は前記ポリマー上にスプレーされる方法。
【請求項６０】
電気活性ポリマーを形成する方法であって、
前記ポリマーの一部において予歪みを実現するために前記電気活性ポリマーを伸長すること、および
前記ポリマーが予歪みされるとき、前記ポリマーの表面部分に支持レイヤを結合させること
を含む方法であって、前記支持レイヤは、前記予歪みされた部分に重なり、少なくとも部分的に前記部分において前記予歪みを維持する方法。
【請求項６１】
請求項６０に記載の方法であって、
前記支持レイヤが前記表面部分に結合される状態で、前記予歪みを維持するためにフレームで前記電気活性ポリマーを保持すること、および
前記電気活性ポリマーを前記フレームから解放すること
を含む方法。
【請求項６２】
請求項６０に記載の方法であって、前記支持レイヤは、前記ポリマーについての弾性係数より大きい弾性係数を備える方法。
【請求項６３】
請求項６０に記載の方法であって、前記表面部分は電極と重なる方法。
【請求項６４】
請求項６０に記載の方法であって、前記表面部分は幾何学的形状に類似する方法。
【請求項６５】
請求項６０に記載の方法であって、前記電気活性ポリマーは、約１０ＭＰａ未満の弾性係数を備える方法。
【請求項６６】
請求項６０に記載の方法であって、前記支持レイヤは、約１０ＭＰａ未満の弾性係数を備える方法。
【請求項６７】
請求項６０に記載の方法であって、前記支持レイヤを前記ポリマーに結合させる前に、電極を前記電気活性ポリマーの表面に堆積することをさらに含む方法。
【請求項６８】
請求項６７に記載の方法であって、前記電極は前記ポリマー上にスプレーされる方法。
【請求項６９】
請求項６０に記載の方法であって、前記電気活性ポリマーがトランスデューサ内で採用されるときに、前記支持レイヤは前記電気活性ポリマーについての電極として働く方法。
【請求項７０】
請求項６０に記載の方法であって、前記電気活性ポリマーは第２方向より第１方向において大きく伸長される方法。
【請求項７１】
請求項６０に記載の方法であって、前記電気活性ポリマーは、弾性予歪みを達成するために伸長される方法。
【請求項７２】
電気活性ポリマーを形成する方法であって、
ポリマー前駆体を前記電気活性ポリマーの一部の表面に塗布すること、
予歪みを実現するために前記電気活性ポリマーを伸長すること、および
前記部分を剛性化するために前記ポリマー前駆体を硬化すること
を含む方法。
【請求項７３】
請求項７２に記載の方法であって、前記ポリマー前駆体は、前記電気活性ポリマーが予歪みされた後で、前記表面上に塗布される方法。
【請求項７４】
請求項７２に記載の方法であって、前記剛性化された部分は、硬化の後に前記剛性化された部分おいて前記予歪みを少なくとも部分的に維持する方法。
【請求項７５】
請求項７４に記載の方法であって、電極を前記部分上の前記表面に設けることをさらに含む方法。
【請求項７６】
請求項７２に記載の方法であって、剛性化された部分は、前記電気活性ポリマーの予歪みされた第２部分と境界をなす方法。
【請求項７７】
請求項７６に記載の方法であって、電極を前記予歪みされた第２部分の表面上の前記表面にさらに備える方法。
【請求項７８】
請求項７２に記載の方法であって、前記ポリマー前駆体を前記電気活性ポリマーの第２部分上に塗布することをさらに含む方法。
【請求項７９】
請求項７８に記載の方法であって、前記第１部分よりも前記第２部分に前記ポリマー前駆体のより多い量が塗布される方法。
【請求項８０】
請求項７２に記載の方法であって、前記ポリマー前駆体を前記部分内に拡散させることをさらに含む方法。
【請求項８１】
請求項７２に記載の方法であって、前記ポリマー前駆体は、前記電気活性ポリマーの前記表面部分にスプレーされる方法。
【請求項８２】
請求項８１に記載の方法であって、前記部分の形状およびサイズを定義するマスクを前記ポリマー表面に適用することをさらに備える方法。
【請求項８３】
請求項８２に記載の方法であって、前記予歪みを実現するために前記電気活性ポリマーを伸長することは、前記電気活性ポリマーを歪みが与えられた状態に保持するフレームを用いる方法。
【請求項８４】
請求項８３に記載の方法であって、硬化が完了した後で、前記電気活性ポリマーを前記フレームから解放することをさらに備える方法。
【請求項８５】
請求項７２に記載の方法であって、電気活性ポリマーは第２方向より第１方向において大きく伸長される方法。
【請求項８６】
請求項７２に記載の方法であって、前記電気活性ポリマーは、弾性予歪みを達成するために伸長される方法。
【請求項８７】
請求項７２に記載の方法であって、前記ポリマー前駆体を硬化させることは、前記部分を照射に曝露することを含む方法。
【請求項８８】
請求項８７に記載の方法であって、前記部分の形状およびサイズを定義する前記電気活性ポリマーの表面にマスクを適用することをさらに含む方法。
【請求項８９】
請求項７６に記載の方法であって、前記電気活性ポリマーを形成することをさらに含む方法。
【請求項９０】
電気活性ポリマーを形成する方法であって、
電気活性ポリマーのための前駆体および支持ポリマーのための前駆体を備える混合物を提供すること、
前記混合物から前記電気活性ポリマーを形成すること、
前記電気活性ポリマーの一部において予歪みを実現するために前記電気活性ポリマーを伸長すること、および
前記ポリマーの剛性化された部分中に前記支持ポリマーを形成するために前記支持ポリマーのための前記前駆体を硬化すること
を含む方法。
【請求項９１】
請求項９０に記載の方法であって、前記剛性化された部分は、前記予歪みされた部分に重なる方法。
【請求項９２】
請求項９１に記載の方法であって、電極を前記予歪みされた部分上の表面に設けることをさらに含む方法。
【請求項９３】
請求項９０に記載の方法であって、前記剛性化された部分は、前記電気活性ポリマーの前記予歪みされた部分に隣接する方法。
【請求項９４】
請求項９０に記載の方法であって、前記電気活性ポリマーは、弾性予歪みを実現するために伸長される方法。
【請求項９５】
請求項９０に記載の方法であって、前記電気活性ポリマーを形成することは前記混合物をキャスティングすることを含む方法。
【請求項９６】
請求項９０に記載の方法であって、前記支持ポリマーのための前記前駆体は、前記剛性化された部分のための表面を照射に曝露することを含む方法。
【請求項９７】
請求項９６に記載の方法であって、前記剛性化された部分の形状およびサイズを定義するマスクを前記ポリマー表面に適用することをさらに含む方法。
【請求項９８】
請求項９７に記載の方法であって、前記マスクは差分照射曝露を前記剛性化された部分および前記電気活性ポリマーの他の部分に行う方法。
【請求項９９】
請求項９８に記載の方法であって、前記マスクは、前記電気活性ポリマーのエッジ部分への照射曝露の量を減らす方法。
【請求項１００】
請求項９０に記載の方法であって、前記予歪みを実現するために前記電気活性ポリマーを伸長することは、前記電気活性ポリマーを歪みが与えられた状態に保持するフレームを用いる方法。
【請求項１０１】
請求項１００に記載の方法であって、照射曝露が完了した後、前記電気活性ポリマーを前記フレームから解放することをさらに含む方法。
【請求項１０２】
請求項９０に記載の方法であって、前記電気活性ポリマーは第２方向より第１方向において大きく伸長される方法。